(57)【特許請求の範囲】
【請求項１】
略箱状の筐体内に、サンプリング用配管からサンプリング空気を吸引させるファンと、該サンプリング用配管からのサンプリング空気が導入される煙検出ユニットとを備えた煙感知器において、
該筐体に該ファン及び該煙検出ユニットを収納する収納室を設け、該収納室の側壁中、該筐体の回路基板収納部に所定の間隔をあけて並び、該ファン及び該煙検出ユニットと該回路基板収納部との間を仕切る側壁を二重構造とすると共に、その他の側壁を二重構造としつつ、その内側壁と外側壁との間に該筐体の取付穴が設けられたものとし、且つ該筐体の側壁と兼用のものとしたことを特徴とする煙感知器。
【請求項２】
該収納室と該筐体を一体に形成したことを特徴とする請求項１に記載の煙感知器。
【発明の詳細な説明】
【技術分野】
【０００１】
この発明は、空気中に浮遊する煙等の汚染物質を光学的に検知する煙感知器に関するものである。
【背景技術】
【０００２】
火災予防や煙発生時の検知システムとして、或いは一定の環境保全を必要とする半導体製造工場や食品工場等において煙感知器が使用されている。
【０００３】
この種の煙感知器は、監視区域からサンプリング管を介して空気を吸引する吸引装置と、吸引装置によって吸引された空気が導入されて、その導入された空気に含まれる煙粒子を検出する検煙装置とを備えているが、従来の煙検知器において、検煙装置と吸引装置は制御基板（制御装置）と同じ空間内に収納されている（例えば、特許文献１参照）。
【０００４】
【特許文献１】特許第３７１４９２６号公報
【発明の開示】
【発明が解決しようとする課題】
【０００５】
従来においては、前記の様に、煙感知器の筐体内において検煙装置部と吸引装置部が制御基板と同じ空間に収納されており、両者間には仕切りが何等設けられていないので、例えば、煙感知器が駆動中に、制御基板の電源部からの熱が検煙装置や吸引装置に伝わってしまったり、吸引装置の振動が制御基板に伝わってしまったりして、互いに悪影響を及ぼすことがあった。又、吸引装置はその排気口が煙感知器の筐体の側壁に設けられるが、筐体に外力による衝撃が加わると、それが配管部品を介して吸引装置や検煙装置に伝わってしまい、悪影響を及ぼすことがあった。
【０００６】
この発明は、前記の事情に鑑み、検煙装置や吸引装置と制御基板との間で熱や振動等が伝わり難くすることができ、又筐体に加わる衝撃等が検煙装置や吸引装置に伝わり難くすることができる煙感知器を提供することを目的とする。
【課題を解決するための手段】
【０００７】
この発明は、略箱状の筐体内に、サンプリング用配管からサンプリング空気を吸引させるファンと、該サンプリング用配管からのサンプリング空気が導入される煙検出ユニットとを備えた煙感知器において、該筐体に該ファン及び該煙検出ユニットを収納する収納室を設け、該収納室の側壁中、該筐体の回路基板収納部に所定の間隔をあけて並び、該ファン及び該煙検出ユニットと該回路基板収納部との間を仕切る側壁を二重構造とすると共に、その他の側壁を二重構造としつつ、その内側壁と外側壁との間に該筐体の取付穴が設けられたものとし、且つ該筐体の側壁と兼用のものとしたことを特徴とする煙感知器である。
【０００９】
又、この発明は、該煙感知器であって、該収納室と該筐体とを一体に形成したことを特徴とする煙感知器である。
【発明の効果】
【００１０】
この発明によれば、ファン及び煙検出ユニットと回路（制御）基板収納部とは収納室の二重構造の側壁により隔てられているので、制御基板の電源部からの熱が煙検出ユニットやファンに伝わり難くすることができ、熱によって煙検出ユニット内の光源やファンの回転翼等がダメージを受けるのを防ぐことができ、又、ファンの振動が制御基板に伝わり難くすることができ、振動によって制御基板が誤動作するのを防ぐことができる。又、筐体の側壁を二重構造としているので、筐体の側壁に外力が加わっても衝撃がファンや煙検出ユニットに伝わり難くすることができ、衝撃によってファンや煙検出ユニットがダメージを受けるのを防ぐことができる。
【発明を実施するための最良の形態】
【００１１】
この発明の実施の形態を図１乃至４に基づき説明する。尚、図１はこの発明の煙検知器の主要な構成を示した説明図、図２は同上の筐体の斜視図（（ａ）が上面側を示し、（ｂ）が下面側を示す。）、図３は同上の筐体の断面図である。図４は同上の図３とは別の断面の断面図である。
【００１２】
図１に示す様に、煙感知器１には、暗箱２１を有する煙検出ユニット２と、監視区域に敷設された図示しないサンプリング用配管から流入部４０を介して流入する空気Ａを感知対象となるサンプリングエアＳＡとして導入路４を介して煙検出ユニット２に送るファン３と、煙検出ユニット２内に配設した発光素子１１と、フォトダイオード等の受光素子１２と、ファン３や空気の流量を測定するエアフローセンサ１３と、発光素子１１と受光素子１２とエアフローセンサ１３等に電源を供給する電源部１４と、受光素子１２に接続させた火災判別部１５とを備えている。尚、導入路４はファン３の二次側から流路分岐部３３において分岐し、煙検出ユニット２からサンプリングエアＳＡを還流させる還流路６がファン３の二次側の流路合流部３２において合流しており、流路合流部３２と流路分岐部３３との間に生じる差圧（流路合流部３２における流速を流路分岐部３３における流速よりも速いものとすることによって両者間に差圧を生じさせることができ、例えば流路合流部３２をファン３の回転翼の周縁に近い位置に設け、流路分岐部３３を回転翼の周縁から遠い位置に設けることで両者間に差圧を生じさせることができる。）によって、サンプリングエアＳＡが導入路４からフィルタ５で濾過された上で煙検出ユニット２を通過し、そして還流路６からファン３の二次側に還流される様になっている。
【００１３】
煙検出ユニット２の暗箱２１の中央部には、検煙部２５が設けられ、この検煙部２５をサンプリングエアＳＡが通過し、その際に光学的に煙検知がなされる様になっている。尚、２３は遮光部２２に設けた光トラップ、２４は集光レンズ、２６はアパーチャである。
【００１４】
又、火災判別部１５は、受光素子１２の出力信号Ｓを増幅する増幅回路と、その増幅回路を検出レベルに変換するＡ／Ｄ変換器と、検出レベルが予め設定された閾値以上になった時に火災と判別する比較回路等を備えている。
【００１５】
図１においては、説明上、ファン３と煙検出ユニット２とを離間させて図示しているが、実際には、両者は近接しており、収納室４５内に上下に部分的に重なって、段違いに配置されて収納されている。
【００１６】
具体的には、図４に示す様に、ファン３が台座３０の上面側に取り付けられ、略Ｌ字状の煙検出ユニット２は台座３０の下面側に取り付けられており、両者は近接して、台座３０を介して上下に部分的に重なって、上下二段の段違いに配置されて、収納室４５内に収納されている。尚、ファン３と煙検出ユニット２は上下に部分的に重なってはいるが、ファン３の中央の吸気口３ａのある位置においては両者は重ならない様に配置されており、ファン３の吸気口３ａと台座３０を介して上下に重なる位置には、煙検出ユニット２の側方に隣接して流入部４０が設けられている。又、この流入部４０には台座３０を貫通して、ファン３の吸気口３ａに対向し、流入部４０と吸気口３ａとを連通させる開口４０ａが形成されている。
【００１７】
図２〜図４に示す様に、ファン３と煙検出ユニット２を収納する収納室４５は、その制御基板５５の収納部５６に所定の間隔をあけて並ぶ側壁５７が内側壁５７ａと外側壁５７ｂの二重構造の側壁となっている。更に、本実施の形態においては、収納室４５の二重構造の側壁５７とは反対側の筐体５０の側壁５９も内側壁５９ａと外側壁５９ｂの二重構造の側壁となっている。収納室４５は筐体５０と一体に形成されており、収納室４５の二重構造の側壁５７及び筐体５０の二重構造の側壁５９は一体の部材として形成されている。また、流入部４０および排気口６０を有する側壁も同様な構成となっている。
【００１８】
尚、収納室４５の上部開口は収納室カバー（蓋体）４６でパッキン４７を介して封止され、筐体５０の上部開口は開閉自在の筐体カバー５１で塞がれている。又、煙検出ユニット２に隣接して設けられる流入部４０はそれを下側から覆う収納室４５の一部によって管状にされている。
【００１９】
そして、監視区域に敷設される図示しないサンプリング管からの空気は、流入部４０を介してファン３により吸引され、その一部が分流され、サンプリングエアＳＡとして煙検出ユニット２の図示しない流入口及び流出口を介して暗箱２１内の検煙部２５を通過し、そこで光学的に煙検知がなされてから、ファン３の二次側に還流される様になっている。尚、ファン３の二次側は、筐体５０の外部にサンプリングエアを排気する排気口６０に接続されている。
【００２０】
この発明の煙感知器１においては、ファン３と煙検出ユニット２と制御基板収納部５６とは収納室４５の二重構造の側壁５７により隔てられているので、制御基板５５の電源部からの熱が煙検出ユニット２やファン３に伝わり難くすることができ、熱によって煙検出ユニット２内の光源やファン３の回転翼等がダメージを受けるのを防ぐことができ、又、ファン３の振動が制御基板５５に伝わり難くすることができ、振動によって制御基板５５が誤動作するのを防ぐことができる。又、筐体５０の側壁５９を二重構造としているので、筐体５０の側壁５９に外力が加わっても衝撃がファン３や煙検出ユニット２に伝わり難くすることができ、衝撃によってファン３や煙検出ユニット２がダメージを受けるのを防ぐことができる。また、四方の二重構造の外側壁のうちで側壁５７だけは筐体５０内で制御基板収納部５６と隔てるとともに、残りの二重構造の外側壁は筐体５０の側壁と兼用することにより筐体５０を小型化でき、さらに、煙検出ユニット２とファン３と制御基板５５との仕切りが一方向だけとなって互いに干渉を受け難い。さらに、筐体５０の四隅の取付穴６１を二重構造の外側壁の外側に設けることにより、設置後に壁面に歪みが発生した場合、筐体５０の外側壁は歪むが、内側壁は歪まないために、ファン３や煙検出ユニット２がダメージを受けるのを防ぐことができる。
【図面の簡単な説明】
【００２１】
【図１】この発明の煙感知器の実施の形態を示し、煙検知器の主要構成の説明図である。
【図２】同上を示し、煙感知器の筐体の斜視図で、（ａ）が上面側を示し、（ｂ）が下面側を示した図である。
【図３】同上を示し、煙感知器の筐体の断面図である。
【図４】同上を示し、煙感知器の筐体にカバーが装着された状態における図３とは別の断面の断面図である。
【符号の説明】
【００２２】
１      煙検知器
２      煙検出ユニット
３      ファン
４５    収納室
４６    収納室カバー（蓋体）
５０    筐体
５１    筐体カバー
５５    制御基板
５６    制御基板収納部
５７    収納室の二重構造の側壁
５９    筐体の二重構造の側壁
【図１】
0004885900.tif 000002
【図２】
0004885900.tif 000003
【図３】
0004885900.tif 000004
【図４】
0004885900.tif 000005